(57)【要約】【課題】  キャップの開栓時に、確実に、タンパーエビデントバンドが破断・分離され、かつ、開栓後はタンパーエビデントバンドが主部と裾部に間隔を有して分離されるため、開栓状態が目視によって簡単に確認され、さらに、開栓後のリキャップに際して、指挟みを生じることのないタンパーエビデント機能を強化したボトルのノズル構造を提供する。【解決手段】  キャップ本体が弱化ラインを介して主部と裾部に分離可能に構成されたタンパーエビデント機能を備えたボトルとキャップの組み合わせにおいて、  ボトルノズルのカブラ下段差が、上記係止フラップ先端の厚さの０．８ないし１．２倍に形成され、かつ、上記係止フラップの傾斜角度αが７ないし１８°である、ことを特徴とするタンパーエビデント機能を強化したボトルのノズル構造。【選択図】  図１
2005112357.tif 000002
【特許請求の範囲】
【請求項１】
開口部に筒状のノズルを有し、該ノズル外周面に雄螺条が形成され、該螺条の下方にカ
ブラが周設されたたボトルと、天面壁から垂下する円筒状のスカート壁を有し、該スカー
ト壁の主部内周面には、上記ノズルの外周面に形成された雄螺条に螺合する雌螺条が形成
されてなるキャップからなる組み合わせであって、該スカート壁は、下方の周方向へ形成
された弱化ラインよりも上方のタンパーエビデント主部と、該弱化ラインよりも下方のタ
ンパーエビデント裾部とからなり、該タンパーエビデント裾部の内周面には内方に向かっ
て突出する係止フラップの先端と上記カブラ下面との当接力によって上記弱化ラインが分
離するように構成されたタンパーエビデント機能を備えたボトルとキャップの組み合わせ
において、
上記カブラ下段差が、上記係止フラップ先端の厚さの０．８ないし１．２倍に形成され
、かつ、上記係止フラップの傾斜角度αが７ないし１８°である、
ことを特徴とするタンパーエビデント機能を強化したボトルのノズル構造。
【請求項２】
カブラ下段差ｔ１が、０．６ｍｍないし１．０ｍｍである請求項１記載のボトルのノズ
ル構造。
【請求項３】
開口部に筒状のノズルを有し、該ノズル外周面に雄螺条が形成され、該螺条の下方にカ
ブラが周設されたたボトルと、天面壁から垂下する円筒状のスカート壁を有し、該スカー
ト壁の主部内周面には、上記ノズルの外周面に形成された雄螺条に螺合する雌螺条が形成
されてなるキャップからなる組み合わせであって、該スカート壁は、下方の周方向へ形成
された弱化ラインよりも上方のタンパーエビデント主部と、該弱化ラインよりも下方のタ
ンパーエビデント裾部とからなり、該タンパーエビデント裾部の内周面には内方に向かっ
て突出する係止フラップの先端と上記カブラ下面との当接力によって上記弱化ラインが分
離するように構成されたタンパーエビデント機能を備えたボトルとキャップの組み合わせ
において、
カブラ下面のボトル周壁が、分離後の係止フラップ先端部が入り込む凹部を介してその
上下を同一外径の周壁とされてなる、
ことを特徴とするタンパーエビデント機能を強化したボトルのノズル構造。
【請求項４】
係止フラップの先端面とカブラ下面との当接状態の角度が０ないし１２°である請求項
１ないし３のいずれか１項記載のボトルのノズル構造。
【請求項５】
カブラ下方には、分離後のタンパーエビデント裾部が落下した状態で保持されるネック
リングが突設されており、該ネックリングは、分離後のタンパーエビデント主部下端と、
タンパーエビデント裾部の上端の間隔が１．３ｍｍ以上になるように形成されてなる請求
項１ないし４のいずれか１項記載のボトルのノズル構造。
【発明の詳細な説明】
【技術分野】
【０００１】
本発明は、お茶、ジュース、コーヒー、紅茶、ミネラルウォーターなどの清涼飲料等を
収容するボトルのノズルにタンパーエビデントバンドを備えたキャップを螺着したプラス
チックボトルのノズルの構造に関するものであって、より詳しくは、キャップの開栓時に
、タンパーエビデントバンドが確実に破断・分離され、あるいは、開栓後はタンパーエビ
デントバンドが主部と裾部に間隔を有して分離されるため、開栓状態が目視によって簡単
に確認され、さらに、開栓後のリキャップに際して、指挟みを生じることのないタンパー
エビデント機能を強化したボトルのノズル構造に関する。
【背景技術】
【０００２】
各種飲料あるいは液状食品を収容するボトルには、販売店の店頭での陳列中のいたずら
による開栓事実を購入者に知らせることを目的とするタンパーエビデント特性を有するキ
ャップが多く用いられている。
以下に示す各特許文献には、は、いずれも不正開栓を防止するためのタンパーエビデン
トあるいはピルファープルーフと呼ばれるボトルとキャップの組み合わせに関する技術が
開示されている。
【０００３】
【特許文献１】特開平８−３４４５８号公報
【特許文献２】特開平１−１８２２５９公報
【特許文献３】特開２０００−８５８１０号公報
【特許文献４】特開２００３−１２００１号公報
【０００４】
特許文献１に開示されたタンパーエビデント特性を有するキャップと容器の組み合わせ
の構成は、図８に示すように、切断可能な弱化ラインｅを介してタンパーエビデント主部
ｄとタンパーエビデント裾部ｃを備えたキャップ本体Ａと、環状あご部（カブラ）ａを備
えたボトルのノズルＢとの組み合わせからなるものであり、タンパーエビデント裾部ｃの
下方から内側に向けて突出する係止片ｂが、カブラａの下方段部に当接した状態で開栓に
よる負荷がかかると、キャップ本体はその負荷に耐え切れずに、弱化ラインｅが破断し、
主部ｄと裾部ｃに分離され、開栓の事実が判明するようになっている。
特許文献１の技術は、この際、係止片ｂが弾性変形等に起因してカブラａとの係合が不
十分となり、所謂、すっぽ抜け現象が起こることを防止するために、係止片ｂの下面にロ
ック突条ｇを形成すると共に、タンパーエビデント裾部の内周面に、係止片よりも下方に
、半径方向内方に向かって上方に係止片ｂの傾斜角度よりも大きい傾斜角度をなして突出
するロック片ｆが形成され、ロック片ｆの先端が上記係止片ｂのロック突条ｇに係合され
るようになっている。
【０００５】
また、特許文献２には、図９に示すようなピルファープルーフキャップの構成が開示さ
れており、この発明は、係止片ｂの形状が周方向外方に屈曲するように構成されているこ
とが特徴である。特許文献２においては、裾部ｃのバンドと係止片ｂの角度を小さくしな
いと、開栓時の縦方向の引張り力が弱化ラインｅには作用せずに折曲り部ｈにかかってし
まい、特許文献１においても認識しているような、所謂、すっぽ抜け現象が起こるが、単
に、裾部ｃのバンドと係止片ｂの角度を小さくしたのでは、係止片ｂが段部（カブラ）ａ
から外れてしまい、この場合も、すっぽ抜け現象が起こるという問題点を解決するために
提案されたものである。
【０００６】
また、特許文献３には、図１０、図１１に示すように、ノズルＢのスカート部（カブラ
）ａの周上の少なくとも１箇所にストッパー部ｊを備えたカット部ｉが形成されているこ
とが特徴である。この例では、ボトルキャップＡが、ブリッジ（弱化ライン）ｅを介して
タンパーエビデント主部ｄとタンパーエビデント裾部に形成されており、裾部の下方から
内方に突出する係止部ｂの先端が、上記カット部ｉのストッパー部ｉに係止して空回りを
せずに、開栓に伴う負荷でブリッジの破断がなされるようになっている。
【０００７】
さらに、特許文献４には、ブリッジ片を四角形板状に形成し、キャップが一旦開栓され
た状態では、ブリッジ片が引き起こされて対角方向を上下にした起立状態となると共に、
リング状のバンドが自重により容器口部のカブラから下方に隔離することによって、開封
明示性を高めたキャップが記載されている。
【発明の開示】
【発明が解決しようとする課題】
【０００８】
上記の特許文献１ないし３にに開示された発明は、いずれも、タンパーエビデント特性
がカブラと係止部の係合だけでは不十分であることに着眼し、その解決のために、係止部
の補強を行なったり、カブラに係合を確実にするためのストッパー部を形成するための細
工を施して、カブラと係止部の係合によるタンパーエビデント機能の達成をもくろんでい
る。また、これ以外にも、タンパーエビデント機能を備えたボトルにおいては、開栓時に
破断・分離したタンパーエビデント裾部が上下自在に移動するため、あるいは分離した裾
部がノズルのカブラ下の上方に止まったりするために、タンパーエビデント主部と裾部の
間隔が狭くなって、開封したかどうかが不明確となる場合があり、また、リキャップ時に
、主部と裾部の間に指挟みをする事態が屡々見られ、その改善が求められている。
【０００９】
また、特許文献４には、開封明示性を高めたキャップが記載されているが、特別なブリ
ッジ構造のキャップとする必要があり、また開栓時にキャップを回してブリッジが切れる
までに必要な角度が大きくなり、ブリッジが切れる前に容器口部の密封が破れてしまい、
タンパーエビデント特性が損なわれる虞がある。
【００１０】
本発明者らは、上記先行技術に見られるような、係止片の補強やカブラの形状変更、キ
ャップ構造の変更などを行なうことなく、高い精度でタンパーエビデント特性の強化を図
り、かつキャッピング時の作業性を安全確実のものとし、開栓後のリキャップに際しても
、従来技術の問題点であった開封明示性を確実にしてタンパーエビデント特性を強化し、
さらに指挟みの事態をも回避し得るボトルのノズル構造を提供せんとするものである。
【課題を解決するための手段】
【００１１】
本発明は上記目的を達成するために提案されたものであって、下記の構成からなること
を特徴とする。
すなわち、本発明によれば、開口部に筒状のノズルを有し、該ノズル外周面に雄螺条が
形成され、該螺条の下方にカブラが周設されたたボトルと、天面壁から垂下する円筒状の
スカート壁を有し、該スカート壁の主部内周面には、上記ノズルの外周面に形成された雄
螺条に螺合する雌螺条が形成されてなるキャップからなる組み合わせであって、該スカー
ト壁は、下方の周方向へ形成された弱化ラインよりも上方のタンパーエビデント主部と、
該弱化ラインよりも下方のタンパーエビデント裾部とからなり、該タンパーエビデント裾
部の内周面には内方に向かって突出する係止フラップの先端と上記カブラ下面との当接力
によって上記弱化ラインが分離するように構成されたタンパーエビデント機能を備えたボ
トルとキャップの組み合わせにおいて、
上記カブラ下段差が、上記係止フラップ先端の厚さの０．８ないし１．２倍に形成され
、かつ、上記係止フラップの傾斜角度αが７ないし１８°である、
ことを特徴とするタンパーエビデント機能を強化したボトルのノズル構造が提供される。
【００１２】
また、本発明によれば、カブラ下段差ｔ１が、０．６ｍｍないし１．０ｍｍである上記
ボトルのノズル構造が提供される。
【００１３】
また、本発明によれば、開口部に筒状のノズルを有し、該ノズル外周面に雄螺条が形成
され、該螺条の下方にカブラが周設されたたボトルと、天面壁から垂下する円筒状のスカ
ート壁を有し、該スカート壁の主部内周面には、上記ノズルの外周面に形成された雄螺条
に螺合する雌螺条が形成されてなるキャップからなる組み合わせであって、該スカート壁
は、下方の周方向へ形成された弱化ラインよりも上方のタンパーエビデント主部と、該弱
化ラインよりも下方のタンパーエビデント裾部とからなり、該タンパーエビデント裾部の
内周面には内方に向かって突出する係止フラップの先端と上記カブラ下面との当接力によ
って上記弱化ラインが分離するように構成されたタンパーエビデント機能を備えたボトル
とキャップの組み合わせにおいて、
カブラ下面のボトル周壁が、分離後の係止フラップ先端部が入り込む凹部を介してその
上下を同一外径の周壁とされてなる、
ことを特徴とするタンパーエビデント機能を強化したボトルのノズル構造が提供される。
【００１４】
また、本発明によれば、係止フラップの先端面とカブラ下面との当接状態の角度が０な
いし１２°である上記ボトルのノズル構造が提供される。
【００１５】
また、本発明によれば、カブラ下方には、分離後のタンパーエビデント裾部が落下した
状態で保持されるネックリングが突設されており、該ネックリングは、分離後のタンパー
エビデント主部下端と、タンパーエビデント裾部の上端の間隔が１．３ｍｍ以上になるよ
うに形成されてなる上記ボトルのノズル構造が提供される。
【発明の効果】
【００１６】
本発明によれば、係止フラップとカブラの当接状態を規制することで、上記先行技術に
おいても認識している、タンパーエビデント機能を備えたキャップにおけるカブラと係止
フラップの係止が不十分であることに起因する、タンパーエビデント主部と裾部の破断・
分離がなされないままに、ボトル口部からキャップが離脱する現象、所謂、すっぽぬけ現
象が未然に防止され、かつ、タンパーエビデント主部と裾部の分離後に係止フラップがノ
ズル周壁の凹部において係止されることにより、タンパーエビデント裾部が上昇すること
がないため、タンパーエビデントの主部の下端と裾部の上端の間に隙間が構成され、開封
の履歴を明示すると共に、リキャップ時の指挟み現象が防止される。
【発明を実施するための最良の形態】
【００１７】
以下に、図面に基づいて本発明の好ましい実施の一例について説明する。
図１は本発明のキャップ本体１０と容器口部のノズル２０の係合状態を示す断面図（ａ
）と、キャップのタンパーエビデント主部１１と裾部１２の間の弱化ライン１３が破断し
た状態を示す断面図（ｂ）からなり、図２はノズル２０の主要部の構成を示す部分断面図
、図３はノズル２０のカブラ２１とキャップ１０の係止フラップ１５の係合状態を示す部
分断面図である。
図において、キャップ本体１０は、円形の天面壁１４から垂下する円筒状のスカート壁
１８を有し、該スカート壁１８は弱化ライン１３を挟んで主部１１と裾部１２から構成さ
れている。スカート壁１８の主部１１内周面には、容器口部のノズルの外周面に形成され
た雄螺条２２に螺合する雌螺条１６が形成されており、裾部１２の下端部近傍には基端部
１７から軸方向に突出する係止フラップ１５が内周面全般にわたって設けられている。
【００１８】
ノズル２０は、ボトルの開口部に形成される筒状をなしており、ノズル外壁２４には、
キャップの内周面に形成される雌螺条１６に係合する雄螺条２２が形成され、該雄螺条２
２の下方に該雄螺条よりも大きい径を有する環状のカブラ２１が周設されている。このカ
ブラ２１は、通常、上面が外方になだらかに下る傾斜状に形成され、カブラ下の段部は、
ほぼ平らかあるいは若干内方に下る傾斜状に形成されている。
これらのキャップ本体ならびにノズルは、通常、ポリプロピレンやポリエチレンなどの
ポリオレフィン樹脂、またはポリエチレンテレフタレートなどのポリエステル樹脂で成形
される。
【００１９】
カブラの下方（カブラ下段差）には、上記キャップの裾部１２から内方の上向きに突出
する係止フラップ１５の先端が当接されるように構成されている。
弱化ライン１３は、周方向に間隔を持って形成された破断可能なブリッジ（図示せず）
によってスカート壁１８の主部１１と裾部１２を連接しているタンパーエビデント特性を
有するキャップにおいては自明の構成であって、この弱化ラインは、開栓時の負荷（キャ
ップの開方向への回転に伴う上方向への力）によって裾部１２の係止フラップ１５がカブ
ラ２１の下段差部に当接し、裾部１２の上昇を妨げることにより、その負荷がブリッジを
破断せしめ、スカート部１８の主部１１と裾部１２を分離させるための機能を有する。
【００２０】
本発明においては、カブラ下段差のノズル径方向の幅が、係止フラップ１５の先端の厚
さ（キャップ径方向の幅）に対して、０．８ないし１．２倍、好ましくは１．０ないし１
．２倍に形成されていることが重要である。カブラ下段差とは、図２において、ｔ１で示
す部分の幅であり、このカブラ下段差と係止フラップの厚さの関係は、係止フラップとノ
ズル外周壁との間隔が広いことに起因して、開栓時の負荷により係止フラップが下方に折
れ曲がり、前述した従来技術の問題点である係止フラップとカブラの係合状態が外れる、
所謂、すっぽ抜け現象を防止する上で重要である。カブラ下段差のノズル径方向の幅は、
上記各特許文献に開示された構成からも分かるように、通常、係止フラップ１５の先端の
厚さ方向の幅の少なくとも約１．５倍以上に形成されており、その分、係止フラップ先端
部の自由度が大きくなるため、上向きに構成されている係止フラップが開栓時に反転して
しまい、すっぽ抜け現象を引き起こす原因となる。カブラ下段部のノズル径方向の幅（段
差）を係止フラップ１５の先端の厚さに対して、０．８ないし１．２倍に形成するために
は、この部分のノズル外径を、カブラより上の外壁２４の外径（雄螺条の谷の径）よりも
大きな外径で形成するようにするのが好ましい。
【００２１】
本発明においては、カブラ下の幅（カブラ下段差）を係止フラップ１５先端の厚さに対
して０．８ないし１．２倍に形成することによって、係止フラップ１５は、より傾斜角が
小さくされるため、開栓時の弱化ライン１３の破断が早まると共に、より確実になる。本
発明者らの実験によれば、係止フラップの傾斜角度α（ノズルの軸を含む断面においてノ
ズルの軸方向と係止フラップとの成す角度、図３参照）は、７°ないし１８°、とくに１
４°ないし１７°の範囲が好ましいことが分かった。この係止フラップの傾斜角度は、従
来のタンパーエビデントキャップの係止フラップの角度が１９°ないし４５°に形成され
ていることを勘案すれば、かなり狭い角度であることが理解されよう。
【００２２】
また、カブラ下段差がノズル径方向に平らに形成されている時は、係止フラップ１５の
先端角度が若干傾斜状態で当接するが、カブラ下段差は必ずしも平らである必要はなく、
カブラ下段差と係止フラップ１５先端の当接時の角度（図３におけるθ：カブラ先端下部
角度という）は、０ないし１２°に構成されていれば、本発明が目的とするタンパーエビ
デント特性を十分に発揮することができる。
【００２３】
本発明者らの実験によれば、カブラ下段差のノズル径方向の幅が、係止フラップ１５の
先端の厚さに対して１．２倍を超えると、係止フラップ１５の自由度が大きくなり、加え
て係止フラップ１５の弾性が災いして、開栓負荷がかかった際にカブラ下段差部に当接し
ている係止フラップが反転してしまい、所謂、すっぽ抜け現象が起こり、タンパーエビデ
ント機能を果たし得なくなるという知見が得られた。一方、カブラ下段差が０．８倍より
小さ過ぎてもフラップの係止が不十分となり、すっぽ抜け現象が起きやすくなる。本発明
の請求項１においては、カブラ下の段差を、係止フラップの先端の厚さとの関係で規定し
たが、通常のボトルのノズルの場合、実寸で言えば、その幅は０．６ｍｍないし１．０ｍ
ｍであることが好ましい。ちなみに、従来のタンパーエビデントキャップのカブラ下段差
は、１．１ｍｍないし１．５ｍｍ程度である。また、キャップの係止フラップは、通常、
先端の厚さが０．７ｍｍないし１．０ｍｍ程度、フラップの長さは２ないし４ｍｍ程度で
ある。
【００２４】
本発明においては、上記カブラ下段差と係止フラップ１５の厚さを規定したが、これと
は別に、カブラ２１下面のボトル周壁２４ａ，２４ｂが、分離後の係止フラップ１５先端
部が入り込む凹部２３を介してその上下を同一厚みの外径とされていることも別の重要な
要件である。
【００２５】
開栓時の負荷によりキャップの主部１１と裾部１３が破断・分離すると同時に裾部１２
は係止フラップ１５ともども下降してネックリング２５部においてストップする。この際
、ノズル外周壁面２４に凹部２３が形成されていることにより、常にノズル内方に付勢さ
れている係止フラップ１５先端が凹部２３に入り込み、その後の係止フラップ１５の移動
を規制する。凹部２３の形状は、分離後の係止フラップ１５の先端が入り込み、移動を規
制出来るものであれば特に限定されるものではなく、図１ないし４に示したようになだら
かな斜面を有しているものでも、切り込んだ状態の凹部でもよく、深さも０．２ｍｍ程度
のものであれば良い。
【００２６】
また、キャッピング工程において、ボトル搬送時にはカブラ２１とネックリング２５の
間にグリッパー３０を差し入れてボトルを把持する場合があるが、上記ノズル周壁を凹部
２３を介してその上下２４ａ，２４ｂを同一厚みに形成しておくことにより、グリッパー
３０の把持面先端がノズル外周壁に当接してノズル外周の凹部２３をまたいで外周壁２４
ａ，２４ｂに同時に当たるため、ぐらつきがなく、安定してボトルをグリップすることが
できる。図４には、その状態を側面図で示し、図５には上面図で示した。この際、カブラ
下の外周２４ａだけ、つまり、凹部２３の上方だけを厚肉に形成した場合には、グリッッ
パー３０先端のノズル外周壁との接点が２４ａの部分だけになり、安定したグリップが行
なえなくなることは容易に理解されよう。
【００２７】
図６には、タンパーエビデント性を有するボトルとキャップの組み合わせにおける係止
部の構成を従来例（ａ）と本発明（ｂ）の場合を対比して示した。また、図７には、ノズ
ル外周壁面を同一厚みに形成した従来例（ａ）と、ノズル外周壁面に凹部を形成した本発
明の構成（ｂ）を対比して示した。図７のＨｏはタンパーエビデント主部と裾部が分離し
た状態の間隔であり、Ｈは従来の形状において、主部と裾部の分離後に係止フラップが移
動可能な間隔を示している。
【００２８】
図７（ａ）に示した従来例のように、分離後の間隔ＨｏがＨに変化することがあると、
一目で開封されたことが分からない場合がある。また、リキャップ時に、タンパーエビデ
ント主部と裾部の間に指挟みの事態を招くことがある。これに対して、本発明においては
、分離した係止フラップ１５の先端が凹部２３に入り込みタンパーエビデント裾部１２が
移動することはないため、分離後の間隔Ｈｏはそのまま保持されることになり、開封の履
歴が明確となり、リキャップ時においても指挟みの事態を招くことがない。リキャップ時
に指挟みを起こさないための分離後の間隔Ｈｏは、本発明者らの実験によれば、１．３ｍ
ｍ以上である。
【産業上の利用可能性】
【００２９】
本発明のボトルのノズル構造は、タンパーエビデント性能をより強化したものであるた
め、ボトルの不正開封を目視によって容易に判別出来るため、ボトル内容物の品質保証を
確実にし、飲料物に対する消費者の信頼をかち得たい分野において、より有効に利用され
るものである。
【図面の簡単な説明】
【００３０】
【図１】本発明のキャップ本体と容器口部のノズルの係合状態を示す断面図（ａ）と、キャップのタンパーエビデント主部と裾部の間の弱化ライン１３が破断した状態を示す断面図（ｂ）である。
【図２】本発明のノズルの主要部の構成を示す部分断面図である。
【図３】ノズルのカブラとキャップの係止フラップの係合状態を示す部分断面図である。
【図４】ボトル搬送時にカブラとネックリングの間にグリッパーを差し入れてボトルを把持する状態を示す側面図である。
【図５】図４の上面図である。
【図６】タンパーエビデント性を有するボトルとキャップの組み合わせにおける係止部の構成を従来例（ａ）と本発明（ｂ）の場合を対比して示した断面図である。
【図７】ノズル外周壁面を同一厚みに形成した従来例（ａ）と、ノズル外周壁面に凹部を形成した本発明の構成（ｂ）を対比して示した断面図である。
【図８】特許文献１におけるタンパーエビデントキャップの部分断面図である。
【図９】特許文献２におけるタンパーエビデントキャップの部分断面図である。
【図１０】特許文献３におけるタンパーエビデント特性を有するノズルの側面図である。
【図１１】特許文献３におけるタンパーエビデント特性を有するキャップとノズルの係合状態を示す部分断面図である。
【符号の説明】
【００３１】
１０，Ａ                  キャップ本体  
１１，ｄ                  スカート部主部（タンパーエビデント主部）
１２，ｃ                  スカート部裾部（タンパーエビデント裾部）        
１３，ｅ                  弱化ライン
１４                      天面壁
１５，ｂ                  係止フラップ
１６                      雌螺条                                          
１７                      裾部基端
１８                      スカート部
２０，Ｂ                  ノズル
２１，ａ                  カブラ
２２                      雄螺条
２３                      凹部
２４                      ノズル外壁
２４ａ                    カブラ下ノズル上方外壁
２４ｂ                    カブラ下ノズル下方外壁
２５                      ネックリング
３０                      グリッパー
ｆ                        ロック突条
ｇ                        ロック片  
ｈ                        折曲り部
ｉ                        カット部
ｊ                        ストッパー部
【図１】
2005112357.tif 000003
【図２】
2005112357.tif 000004
【図３】
2005112357.tif 000005
【図４】
2005112357.tif 000006
【図５】
2005112357.tif 000007
【図６】
2005112357.tif 000008
【図７】
2005112357.tif 000009
【図８】
2005112357.tif 000010
【図９】
2005112357.tif 000011
【図１０】
2005112357.tif 000012
【図１１】
2005112357.tif 000013